(57)【要約】      （修正有）【課題】室内において壁面や天井に吊り下げ配置して対を成す複数の吊掛具により複数本の物干し竿を放射状に支持したり、自由な配置に変更可能とした物干し竿他の多用途な吊掛具を提供する。【解決手段】壁面１に取付けられる半円筒板２と、半円筒板２の円弧面に沿って開けたガイド溝３と、ガイド溝３の三方向位置イ，ロ，ハに設けた複数の掛止溝４Ａ，４Ｂ，４Ｃと、ガイド溝３にＵ字状の掛棒５の基部５Ａを外面側から挿通して掛棒の基部先端に垂直姿勢に付設した掛止棒６を半円筒板の掛止溝４Ａ，４Ｂ，４Ｃの一つに選択的に裏面側で掛け止めるフック７と、を具備する。【選択図】図１
0003188698.tif 000002
【実用新案登録請求の範囲】
【請求項１】
壁面に取付けられる半円筒板と、上記半円筒板の円弧面の上縁に沿って切欠いた複数のＵ字溝と、を具備したことを特徴とする壁面取付け吊掛具。
【請求項２】
壁面に取付けられる半円筒板と、上記半円筒板の円弧面に沿って開けたガイド溝と、上記ガイド溝の三方向位置に設けた複数の掛止溝と、上記ガイド溝にＵ字状の掛棒の基部を外面側から挿通すると共に上記掛棒の基部先端に垂直姿勢に付設した掛止棒を上記半円筒板の掛止溝の一つに選択的に裏面側で掛け止めするフックと、を具備したことを特徴とする壁面取付け吊掛具。
【請求項３】
壁面に取付けられる半円筒板と、上記半円筒板の円弧面に開けた複数の掛止溝と、上記掛止溝にＵ字状の掛棒の基部を外面側から挿通すると共に上記掛棒の基部先端に垂直姿勢に付設した掛止棒を上記半円筒板の掛止溝の一つに選択的に裏面側で掛け止めするフックと、を具備したことを特徴とする壁面取付け吊掛具。
【請求項４】
壁面に取付けられる半円筒板と、上記半円筒板の円弧面の上縁に沿って切欠いた複数のＵ字溝と、上記半円筒板の円弧面に開けた複数の掛止溝と、上記掛止溝にＵ字状の掛棒の基部を外面側から挿通すると共に上記掛棒の基部先端に垂直姿勢に付設した掛止棒を上記半円筒板の掛止溝の一つに選択的に裏面側で掛け止めするフックと、を具備したことを特徴とする壁面取付け吊掛具。
【請求項５】
吊下げ紐の下端フックに吊り掛ける掛輪を天板中心位置に備えた枠体と、上記枠体の底面に取付けられ各外面となる放射方向に向けて開口する複数個の保持筒と、を具備したことを特徴とする吊下げ式吊掛具。
【請求項６】
吊下げ紐の下端フックに吊り掛ける掛輪を天板中心位置に備えた枠体と、上記枠体の外周に設けた凸辺と、上記凸辺の高さに等しく枠体の中心側に設けたＶ字状の受座と、上記凸辺と上記受座との間で掛け渡した物干し竿等の端部を固定する締め付けバンドと、を枠体に具備したことを特徴とする吊下げ式吊掛具。
【請求項７】
上記締め付けバンドは、半円状の帯体であることを特徴とする請求項６記載の吊下げ式吊掛具。
【請求項８】
上記締め付けバンドは、樹脂製の結束バンドであることを特徴とする請求項６記載の吊下げ式吊掛具。
【請求項９】
請求項１〜４記載の壁面取付け吊掛具において、上記吊掛具を一対の対をなして一つの壁面又は対向する壁面に取付け、上記各吊掛具のＵ字溝又は掛止溝の一つに選択的に掛け止めしたフック間に、物干し竿他を掛け渡し構成としたことを特徴とする組み合わせ吊掛具。
【請求項１０】
請求項１〜８記載の壁面取付け吊掛具と吊下げ式吊掛具において、上記吊下げ式吊掛具を部屋中央位置に吊り下げるとともに上記壁面取付け吊掛具を部屋の壁面の一面乃至四面に取付け、上記各吊掛具のＵ字溝又は掛止溝の一つに選択的に掛け止めしたフックと中継吊掛具の対面する保持筒又は締め付けバンドとの間に物干し竿他を掛け渡し構成としたことを特徴とする組み合わせ吊掛具。
【請求項１１】
請求項５〜８記載の吊下げ式吊掛具において、吊下げ式吊掛具を広い室内空間又は野外空間に多数の等しい高さと等間隔になるように吊り紐又は支持棒で吊設し、各吊下げ式吊掛具の間でカーテンや遮蔽シートにより隔壁を形成させたことを特徴とする組み合わせ吊掛具。
【考案の詳細な説明】
【技術分野】
【０００１】  本考案は、各種被吊物となる例えば物干し竿の端部やハンガーやカーテン、遮蔽シート等を簡便に引っ掛けて保持する吊掛具に関し、特に室内において壁面や天井に吊り下げ配置して対を成す複数の吊掛具により複数本の物干し竿を放射状に支持させたり、屋外での使用も可能とした多機能・多用途に変更可能とした壁面取付け吊掛具及び吊下げ式吊掛具とその組み合わせ吊掛具である。
【背景技術】
【０００２】  近年、例えば、鴨居、長押にワンタッチで脱着できるハンガー掛けバネ式フックが提供されている。その特徴は、取り外した後にキズ（ビス穴等）や剥がし跡が残らず、部屋の隅の鴨居に斜めに竿が掛けられ、脱落しないものである。その構成は、フックに鴨居を挟む歯５８を取り付け、スプリング、バネフックの伸縮により脱落を防止、脱着できる様にする。フックを逆さにし、長押にも使用できる様にする。フックを２個鴨居に取り付け、フックで部屋の隅に竿を斜めに支えるものである（例えば、特許文献１参照。）。【０００３】  更に、洗濯物を干す時に、背伸びをしたり踏み台を移動させたりするのは大変であり、特に老人には負担が大きい。また、背伸びや踏み台に上がるといった不安定な体勢は、転倒の恐れもあり非常に危険であり、これらの点を解消させたものがある。その構成は、物干し竿に掛けるフックと、ハンガーを掛けるフックと、前記２つのフックをつなぐ伸縮体としてのバネやゴムと、前記ハンガーを掛けるフックを引っ張り下ろす引っ張り棒と、前記バネを任意の長さに伸した状態を維持させる留め具を具備するものである（例えば、特許文献２参照。）。【０００４】  更に、必要に応じてフックを回転させることが可能で、不要時にはフックをケース内に収納できる物品吊下げ具がある。その構成は、下面が開口したケースと、ケース内に上下方向に沿って収納されたガイド筒と、ガイド筒に摺動及び回動可能に挿通されたフック部材と、ケース内に設置されたバネ材と、ケースを貫通し、押圧操作によってバネ材をその付勢力に抗して変形させる操作軸とを備え、フック部材の下端にフックを設け、フック部材３摺動に伴ってフックがケースの下面から出没し、バネ材は、常態において前記フック部材をフックがケース内に没した状態で保持可能であり、バネ材が変形した時、フック部材がガイド筒内を下方へ摺動するものである（例えば、特許文献３参照。）。【０００５】  更に、天井から吊り下げた掛け具のリンクに、物干し竿の片端等を支持する吊掛装置が提案されている。その構成は、支持具は、取付基体に受止体を回転軸によってＸ方向に回動可能に取り付け、カバーを被せて成るものであり、天井面に取り付けて使用するものである、吊下具は、シャフトの上端部に略倒円柱状の挿入部を設けると共に、下端部にリング状で回転自在の吊掛部を設け、さらに、挿入部には、シャフトの両側に外方に突出する突出部を設けてある。使用するには、吊下具の挿入部を、その長手方向を受止体の挿入孔の長手方向と合わせて挿入し、９０度回動させて、吊下具を支持具に支持させるものである（例えば、特許文献４参照。）。
【先行技術文献】
【特許文献】
【０００６】
【特許文献１】  特開２００１−１６１５４３号公報
【特許文献２】  特開２００３−３４０１９６号公報
【特許文献３】  特開２００７−３１３２２６号公報
【特許文献４】  特開２０１２−２４９８８８号公報
【考案の概要】
【考案が解決しようとする課題】
【０００７】  上記特開２００１−１６１５４３号公報のハンガー掛けバネ式フックは、鴨居、長押にワンタッチで脱着でき、フックを２個鴨居に取り付け、二つのフック間で部屋の隅に竿を斜めに支えることができる。しかし、吊掛けられる竿は１本だけでありその方向も固定されてしまうという問題点がある。【０００８】  上記特開２００３−３４０１９６号公報の洗濯物干し補助装置は、２つのフックをつなぐ伸縮体としてのバネやゴムと、前記ハンガーを掛けるフックを引っ張り下ろす引っ張り棒と、前記バネを任意の長さに伸した状態を維持して留めることができる。しかし、吊掛けられる竿は１本だけでありその方向も固定されてしまうという問題点がある。【０００９】  上記特開特開２００７−３１３２２６号公報の物品吊下具は、必要に応じてフックを回転させることが可能で、竿の吊掛け方向が自由に変えられ不要時にはフックをケース内に収納できる。しかし、吊掛けできる竿は１本だけであり、同時に複数本を吊掛けできない。【００１０】  また、特開２０１２−２４９８８８号公報の吊り掛け装置は、天井に取り付けた支持具を吊下具に対して、直交する２つの方向に、強度を低下させずに大きく回動でき、支持具を傾斜天井に取り付けて使用する場合でも、吊下具を支持具のほぼ真下から挿入できる。しかし、吊掛けできる竿は１本だけであり、同時に複数本を吊掛けできない問題点を残存している。【００１１】  本考案は、上記各装置における共通した問題点に鑑みてなされたものである。その第一の目的は、壁面取付け用の吊掛具及び天井吊下げ用の吊掛具において、一つの吊掛具により１本から複数本の物干し竿の端部を支持できる吊掛具を提供することにある。
また、第二の目的は、壁面取付け用の吊掛具及び天井吊下げ用の吊掛具との組み合わせにより、物干し竿やその他の部材の多彩な支持を可能にした吊掛具を提供するものである。
また、第三の目的は、体育館や野外での広い空間での緊急避難用の簡易個室や野外活動のテントを形成できるようにした吊掛具を提供するものである。
【課題を解決するための手段】
【００１２】  上記目的を達成するべく本考案の請求項１による壁面取付け吊掛具は、壁面に取付ける半円筒板と、上記半円筒板の円弧面の上縁に沿って切欠いた複数のＵ字溝と、を具備したことを特徴とする。【００１３】  本考案の請求項２による壁面取付け吊掛具は、壁面に取付けられる半円筒板と、上記半円筒板の円弧面に沿って開けたガイド溝と、上記ガイド溝の三方向位置に設けた複数の掛止溝と、上記ガイド溝にＵ字状の掛棒の基部を外面側から押通すると共に上記掛棒の基部先端に垂直姿勢に付設した掛止棒を上記半円筒板の掛止溝の一つに選択的に裏面側で掛け止めするフックと、を具備したことを特徴とする。【００１４】  本考案の請求項３による壁面取付け吊掛具は、壁面に取付けられる半円筒板と、上記半円筒板の円弧面に開けた複数の掛止溝と、上記掛止溝にＵ字状の掛棒の基部を外面側から挿通すると共に上記掛棒の基部先端に垂直姿勢に付設した掛止棒を上記半円筒板の掛止溝の一つに選択的に裏面側で掛け止めするフックと、を具備したことを特徴とする。【００１５】  本考案の請求項４による壁面取付け吊掛具は、壁面に取付けられる半円筒板と、上記半円筒板の円弧面の上縁に沿って切欠いた複数のＵ字溝と、上記半円筒板の円弧面に沿って開けた複数の掛止溝と、上記掛止溝にＵ字状の掛棒の基部を外面側から挿通すると共に上記掛棒の基部先端に垂直姿勢に付設した掛止棒を上記半円筒板の掛止溝の一つに選択的に裏面側で掛け止めするフックと、を具備したことを特徴とする。【００１６】  本考案の請求項５による吊下げ式吊掛具は、吊下げ紐の下端フックに吊り掛ける掛輪を天板中心位置に備えた枠体と、上記枠体の底面に取付けられ各外面となる放射方向に向けて開口する複数個の保持筒と、を具備したことを特徴とする。【００１７】  本考案の請求項６による吊下げ式吊掛具は、吊下げ紐の下端フックに吊り掛ける掛輪を天板中心位置に備えた枠体と、上記枠体の外周に設けた凸辺と、上記凸辺の高さに等しく枠体の中心側に設けたＶ字状の受座と、上記凸辺と上記受座との間で掛け渡した物干し竿等の端部を固定する締め付けバンドと、を枠体に具備したことを特徴とする。【００１８】  本考案の請求項７による吊下げ式吊掛具は、請求項５記載の吊下げ式吊掛具において、上記締め付けバンドは、半円状の帯体であることを特徴とする。【００１９】  本考案の請求項８による吊下げ式吊掛具は、請求項５記載の吊下げ式吊掛具において、上記締め付けバンドは、樹脂製の結束バンドであることを特徴とする。【００２０】  本考案の請求項９による組み合わせ吊掛具は、請求項１〜４記載の壁面取付け吊掛具において、上記吊掛具を一対の対をなして一つの壁面又は対向する壁面に取付け、上記各吊掛具のＵ字溝又は掛止溝の一つに選択的に掛け止めしたフック間に、物干し竿他を掛け渡し構成としたことを特徴とする。【００２１】  本考案の請求項１０による組み合わせ吊掛具は、請求項１〜８記載の壁面取付け吊掛具と吊下げ式吊掛具において、上記吊下げ式吊掛具を部屋中央位置に吊り下げるとともに上記壁面取付け吊掛具を部屋の壁面の一面乃至四面に取付け、上記各吊掛具のＵ字溝又は掛止溝の一つに選択的に掛け止めしたフックと中継吊掛具の対面する保���筒又は締め付けバンドとの間に物干し竿他を掛け渡し構成としたことを特徴とする。【００２２】  本考案の請求項１１による組み合わせ吊掛具は、請求項５〜８記載の吊下げ式吊掛具において、吊下げ式吊掛具を広い室内空間又は野外空間に多数の等しい高さと等間隔になるように吊り紐又は支持棒で吊設し、各吊下げ式吊掛具の間でカーテンや遮蔽シートにより隔壁を形成させたことを特徴とする。
【考案の効果】
【００２３】  本考案の壁面取付け吊掛具によると、壁面に取付けた吊掛具の半円筒板における円弧に沿って開けたガイド溝とこの三方向位置に設けた係止溝の一つに選択的に掛止片を持つフックを掛け止めするか、単に三方向位置に設けた係止溝の一つに選択的に掛止片を持つフックを掛け止めするか、更に上記半円筒板の円弧面の上縁に沿って切欠いた複数のＵ字溝を設けたから、この複数のＵ字溝の一つ乃至複数に物干し竿の端部を掛け止めできる。また、半円筒板内に花瓶や花束等を差込む為のホルダー用具としても使用できる。【００２４】  また、フックは、半円筒板の壁面に対して前方又は左右側方に選択的に配置でき、これにハンガーや鉢物を吊り下げできる。また、物干し竿の端部を三方向に向けて保持できる。更に、一対の吊掛具に備えるフック間に物干し竿の両端部を任意な方向（三方向に同時に）に向けて保持できる。【００２５】  本考案の部屋の天井中央に吊下げた吊掛具によると、枠体の底面に取付けられ各外面となる放射方向に向けて開口する複数個の保持筒等を備えているから、この保持筒等にハンガーを吊り下げられるし、複数個の保持筒等に複数のハンガーを同時に吊り下げできる。更に、多数の選択ハサミを備えた小物ハンガー「ハンカチ、靴下等」も吊り下げできる。【００２６】  更に、壁面取付け吊掛具と吊下げ式吊掛具との組み合わせ吊掛具にすると、上記吊下げ式吊掛具を部屋中央位置に吊り下げるとともに上記壁面取付け吊掛具を部屋の壁面の一面乃至四面に取付け、上記各吊掛具のＵ字溝又は掛止溝の一つに選択的に掛け止めしたフックと中継吊掛具の対面する保持筒との間に物干し竿他を掛け渡しできる。これにより、狭い空間内に多数本の物干し竿が配置でき、大量の洗濯物が同時に干せ、合理的、効率的に乾燥できる。【００２７】  更に、吊下げ式吊掛具を広い室内空間（体育館や会議室等）に多数の等しい高さと等間隔になるように吊り紐又は支持棒で吊設し、各吊下げ式吊掛具の間でカーテンや遮蔽シートにより隔壁を形成できる。これにより、災害時の避難室内において個人的なプライバシーを確保できる小部屋ができる。また、各吊下げ式吊掛具にＬＥＤ照明器具を取付ければ夜間照明も確保できる。【００２８】  そして、野外の大木の下に吊下げ式吊掛具を吊り紐で四角空間に吊り下げ、又は支持棒で吊設し、各吊下げ式吊掛具の間でカーテンや遮蔽シートにより隔壁を形成できる。これにより、災害時の避難室内において個人的なプライバシーを確保できる小部屋ができる。
【図面の簡単な説明】
【００２９】
【図１】  本考案の第１の実施の形態を示し、壁面取付け吊掛具の展開斜視図である。
【図２】  本考案の第１の実施の形態を示し、壁面取付け吊掛具の展開斜視図である。
【図３】  本考案の第１の実施の形態を示し、壁面取付け吊掛具の使用例の平面図である。
【図４】  本考案の第２の実施の形態を示し、壁面取付け吊掛具の展開斜視図である。
【図５】  本考案の第３の実施の形態を示し、壁面取付け吊掛具の展開斜視図である。
【図６】  本考案の第４の実施の形態を示し、壁面取付け吊掛具の展開斜視図である
【図７】  本考案の第２〜第４の実施の形態を示し、壁面取付け吊掛具の使用例の平面図と斜視図である。
【図８】  本考案の第５の実施の形態を示し、吊り下げ式吊掛具の斜視図である
【図９】  本考案の第５の実施の形態を示し、吊り下げ式吊掛具の底面図である。
【図１０】  本考案の第５の実施の形態を示し、吊り下げ式吊掛具の側面図である。
【図１１】  本考案の第６の実施の形態を示し、異なる吊掛具を複数組み合わせた実施例の平面図である。
【図１２】  本考案の第７の実施の形態を示し、吊り下げ式吊掛具の斜視図である。
【図１３】  本考案の第８の実施の形態を示し、吊り下げ式吊掛具の斜視図である。
【図１４】  本考案の第９の実施の形態を示し、吊り下げ式吊掛具の使用例の平面図である。
【図１５】  本考案の第９の実施の形態を示し、吊り下げ式吊掛具の使用例の正面図である。
【図１６】  本考案の第１０の実施の形態を示し、吊り下げ式吊掛具の他の使用例の正面図である。
【考案を実施するための形態】
【００３０】  以下、図１乃至図１６を参照して本考案の各種実施の形態となる壁面取付け吊掛具とその使用例を順次に説明する。
【実施例】
【００３１】  本考案の第１の実施の形態となる壁面用の壁面取付け吊掛具１０は、図１と図２の展開斜視図に示す。上記吊掛具１０の主要構成は、壁面１に取付けるべく断面形状を略Ｕ字状に形成した半円筒板２と、上記半円筒板の円弧面に沿って開けたガイド溝３と、上記ガイド溝の三方向位置（イ），（ロ），（ハ）に設けた複数の掛止溝４Ａ，４Ｂ，４Ｃと、上記ガイド溝にＵ字状の掛棒５の基部５Ａを外面側から挿通すると共に掛棒５の基部先端に垂直姿勢に付設した掛止棒６を半円筒板の掛止溝の一つに選択的に裏面側で掛け止めするフック７と、を具備している。そして、壁面１との取り付は、半円筒板２の両縁に折り曲げ形成した取付座２Ａ，２Ｂに開けた孔にビスＢＳをねじ込んで行われる。勿論、着脱可能なように、壁面に取り付けた引掛け板（図示なし）に取付座２Ａ，２Ｂを掛け外し可能としても良い。更に、取付座２Ａ，２Ｂの裏面の接着剤により壁面に貼り付けても良い。【００３２】  これにより、壁面取付けの吊掛具１０において、フック７は、その掛棒５の基部５Ａを外面側から半円筒板の円弧面に沿って開けたガイド溝３に挿通すると共に移動させ、ガイド溝の三方向位置（イ），（ロ），（ハ）に設けた複数の掛止溝４Ａ，４Ｂ，４Ｃの一つに選択的に嵌め込み、裏面側で掛止棒６を掛け止めして垂直姿勢に保持する。【００３３】  以下、本考案の壁面取付け吊掛具１０について、その使用例を図２と図３で説明する。先ず、物干し竿等の吊掛具１０は、図２において、選択的に方向を選ばれたフック７にハンガー５Ｈを掛けられる。そして、複数のフック７を用意して掛ければ、各々のフックにハンガーを掛けられる。また、図３（１）（２）に示すように、少なくとも一対の物干し竿等の吊掛具１０を対向する壁面１，１や一つの壁面１に取付け、互いに対面する方向にフック７を配置すれば、このフック間に物干し竿１１を掛け渡せる。なお、図３（１）に示すように、各吊掛具１０の左右両側にフック７，７を取り付ければ、２本の物干し竿１１．１２を並行して掛け渡せるから、狭いスペースに二倍の洗濯物が干せる。また、図３（３）に示すように、隣接し合う直角な壁面１，１Ａの場合は、角縁部と離れた壁面の３箇所に３個の物干し竿等の吊掛具１０を取付け、互いに対面する方向にフック７を配置すれば、このフック間に２本の物干し竿１１，１２を掛け渡せる。【００３４】  上記のように壁面取付け吊掛具１０によると、壁面に取付けた吊掛具の半円筒板における円弧に沿って開けたガイド溝とこの三方向位置に設けた係止溝の一つに選択的に掛止片を持つフックを掛け止めできるから、フックは、壁面に対して前方又は左右側方に選択的に配置できる。これにより、ハンガーや物干し竿の端部を三方向に向けて保持できる。更に、一対の吊掛具に備えるフック間に物干し竿の両端部を任意な方向（三方向に同時に）に向けて保持できる。【００３５】  尚、本考案の壁面取付け吊掛具１０は、上記実施の形態における構成に限定されず、その要旨内での設計変更が自由にできる。図４の第２実施の形態と、図５に示す第３の実施の形態と、図６に示す第４の実施の形態なる壁面取付け吊掛具２０Ａ、２０Ｂ、３０としても良い。図４の物干し竿等の吊掛具２０Ａは、��面１に取付けるべく断面形状を略Ｕ字状に形成した半円筒板２と、上記半円筒板の円弧面の上縁２Ｈに沿って三方向位置（イ），（ロ），（ハ）に切欠いた複数のＵ字溝２Ｅを設けてなる。【００３６】  また、図５の壁面取付け吊掛具２０Ｂは、壁面１に取付けるべく断面形状を略Ｕ字状に形成した半円筒板２と、上記半円筒板の円弧面の上縁２Ｈに沿って三方向位置（イ），（ロ），（ハ）に切欠いた複数のＵ字溝２Ｅを設けている。更に、上記半円筒板の円弧面に沿って三方向位置（イ），（ロ），（ハ）に開けた複数の掛止溝４Ａ，４Ｂ，４Ｃと、上記掛止溝にＵ字状の掛棒５の基部５Ａを外面側から挿通すると共に上記掛棒の基部先端に垂直姿勢に付設した掛止棒６を上記半円筒板の掛止溝４Ａ，４Ｂ，４Ｃの一つに選択的に裏面側で掛け止めするフックと、を具備してなる。【００３７】  更に、図６に示す第４の実施の形態となる壁面取付け吊掛具３０は、上記半円筒板の円弧面に沿って三方向位置（イ），（ロ），（ハ）に開けた複数の掛止溝４Ａ，４Ｂ，４Ｃと、上記掛止溝６にＵ字状の掛棒５の基部５Ａを外面側から挿通すると共に上記掛棒５の基部先端に垂直姿勢に付設した掛止棒６を上記半円筒板の掛止溝４Ａ，４Ｂ，４Ｃの一つに選択的に裏面側で掛け止めするフック７と、を具備してなる。【００３８】  以下、本考案の壁面取付け吊掛具２０Ａ、２０Ｂ、３０について、その使用例を図７で説明する。先ず、図７（１）や図７（２）に示すように、対向する壁面１や一つの壁面１に吊掛具２０Ｂ、３０を取り付け時は、半円筒板の円弧面の上縁２Ｈに沿って三方向位置（イ），（ロ），（ハ）に切欠いた複数のＵ字溝２Ｅの対向する上縁２Ｈ間に物干し竿１１を掛け渡せる。また、吊掛具２０Ｂ、３０を使用した時は、フック７，７を対面させて取り付け、このフック７，７間に物干し竿１２を掛け渡せる。そして、図７（３）に示す壁面１，１Ａに対する吊掛具２０Ｂ、３０の取付け時も、同様に物干し竿１１，１２を並行して掛け渡せる。更に、図７（４）に示すように、半円筒板の円弧面内に生花やドライフラワーの花束Ｆを差し込んで部屋の装飾品を飾るホルダー２０Ａ、２０Ｂ、３０としても使用できる。更には、カーテンホルダーとしても使用できる。【００３９】  本考案の壁面取付け吊掛具１０、２０Ａ、２０Ｂ、３０は、上記各実施の形態における構成に限定されず、その考案の要旨内での設計変更が自由にできる。図８〜図１３に示す第５〜第８の実施形態とした吊り下げ式吊掛具４０、５０、６０としても良い。先ず、図８〜図１０に示す第５の実施形態とした吊り下げ式吊掛具４０は、吊下げ紐（吊下げ棒）４１の下端フック４２に吊り掛ける掛輪４３を天板４４の中心位置に備えた枠体４５と、上記枠体の底面４５Ａに取付けられ各外面となる放射方向０に向けて開口する複数個の保持筒４６，４７，４８，４９と、を具備した吊下げ式の中継吊掛具である。尚、図８と図９に示すように、保持筒４６，４７，４８，４９は、半円筒体に形成され、その両縁に設けた取付片Ａ”，Ｂ”を上記枠体の底面４５Ａにビス又はスポット溶接で取付けられている。【００４０】  また、図１２に示す第６の実施形態とした吊り下げ式吊掛具５０は、吊下げ紐４１の下端フック４２に吊���掛ける掛輪４３を持つ吊掛棒４４を天板５４の中心位置に備えた枠体５５と、上記枠体の上面５５Ａに取付けられ上記枠体の外周に設けた凸辺５５Ｂの高さに等しく各外面となる放射方向０に向けて枠体の中心側に設けた複数個のＶ字状の受座５６，５７，５８，５９と、凸辺５５Ｂと受座との間に薄板を加工した半円状の締め付けバンドＢを設けた吊下げ式の中継吊掛具である。【００４１】  更に、図１３に示す第７の実施形態とした吊り下げ式吊掛具６０は、吊下げ紐４１の下端フック４２に吊り掛ける掛輪４３を天板５４の中心位置に備えた枠体５５と、上記枠体の上面５５Ａに取付けられ上記枠体の外周に設けた凸辺５５Ｂの高さに等しく各外面となる放射方向０に向けて枠体の中心側に設けた複数個のＶ字状の受座５６，５７，５８，５９と、凸辺５５Ａと受座との間に樹脂製の結束バンドＣを設けた吊下げ式の中継吊掛具である。【００４２】  考案の吊り下げ式吊掛具４０、５０、６０と壁面取付け吊掛具１０、２０Ａ、２０Ｂ、３０との組み合わせによる使用例を、図１１で説明する。この吊り下げ式の物干し竿等の吊掛具４０、５０、６０は、部屋の中央部に吊り下げて使用されるものである。具体的には、図１１に示すように、上記吊下げ式吊掛具４０、５０、６０を部屋の中央位置に吊り下げるとともに上記壁面取付け吊掛具１０、２０Ａ、２０Ｂ、３０を部屋の四面の壁面１の一面乃至四面に取付ける。そして、上記各吊掛具１０、２０Ａ、２０Ｂ、３０において、フック７は、その掛棒５の基部５Ａを外面側から半円筒板の円弧面に沿って開けたガイド溝３に挿通すると共に移動させ、ガイド溝の三方向位置（イ），（ロ），（ハ）に設けた複数の掛止溝４Ａ，４Ｂ，４Ｃの一つに選択的に嵌め込み、裏面側で掛止棒６を掛け止めして垂直姿勢に保持する。また、三方向位置（イ），（ロ），（ハ）に切欠いた複数のＵ字溝２Ｅの対向する上縁２Ｈ間に物干し竿１１を掛け渡す。【００４３】  この後、吊掛具４０、５０、６０の四面に配置し、放射方向０に向けて開口する複数個のフック７又はＵ字溝２Ｅと対面する保持筒又はＶ字状の受座との間に物干し竿１１を掛け渡し、締め付けバンドＢ又は結束バンドＣにより固定する。これにより、部屋の中に図１１に示すように、十字状に４本の物干し竿１１を吊り下げられる。【００４４】  上記壁面取付け吊掛具１０、２０Ａ、２０Ｂ、３０と吊り下げ式の物干し竿等の吊掛具４０、５０、６０との組み合わせによると、下記の効果が発揮される。
先ず、壁面取付け吊掛具１０、２０Ａ、２０Ｂ、３０によると、壁面に取付けた吊掛具の半円筒板における円弧に沿って三方向位置に設けた係止溝の一つに選択的に掛止片を持つフックを掛け止めるか、Ｕ字溝２Ｅに掛け止めできるから、壁面に対して前方又は左右側方に選択的に配置できる。これにより、物干し竿の端部を三方向に向けて保持できると共に、ハンガーや各種用具を掛けたり、花束を半円筒板内に差し込むことができ室内の装飾用ホルダーになる。【００４５】  また、部屋の天井中央に吊下げた吊掛具４０、５０、６０によると、枠体の底面に取付けられ各外面となる放射方向に向けて開口する複数個の保持筒又は締め付けバンドＢ又は結束バンドＣに複数のハンガーを同時に吊り下げできる。更に、多数の選択ハサミを備え
0003188698.tif 000003
【００４６】  更に、壁面取付け吊掛具１０、２０Ａ、２０Ｂ、３０と吊下げ式吊掛具４０、５０、６０との組み合わせ吊掛具にすると、上記吊下げ式吊掛具を部屋中央位置に吊り下げるとともに上記壁面取付け吊掛具を部屋の壁面の一面乃至四面に取付け、上記各吊掛具の掛止溝の一つに選択的に掛け止めしたフックと吊掛具の対面する保持筒との間に物干し竿他を掛け渡しできる。これにより、狭い空間内に多数本の物干し竿が配置でき、大量の洗濯物が同時に干せ、合理的、効率的に乾燥できる。【００４７】  続いて、上記吊下げ式吊掛具４０、５０、６０を体育館１００において、多数組み合わせた第９実施例を図１４と図１５で説明し、第１０実施例を図１６により説明する。
先ず、図１４と図１５の第９実施例は、災害時に体育館に緊急避難する時にプライバシーを確保する態様を示す。吊下げ式吊掛具４０、５０、６０の何れかを体育館等の広い室内空間Ｓに多数等しい高さと等間隔になるように吊り紐Ｍ又は支持棒Ｔ（図示なし）で吊設し、各吊下げ式中継吊掛具の間にカーテンＫや遮蔽シートＫ１を掛け渡して隔壁Ｋ０を形成させたものである。また、架設された吊下げ式吊掛具４０、５０、６０何れかにＬＥＤ照明器具Ｌを取付ければ夜間照明にもなる。又、各吊下げ式吊掛具４０、５０、６０によると、枠体の底面に取付けられ各外面となる放射方向に向けて開口する複数個の保持筒又は締め付けバンドＢ又は結束バンドＣに複数のハンガーを同時に吊り下げできる。更に、
0003188698.tif 000004
避難時の生活に役立つ。【００４８】  続いて、上記吊下げ式吊掛具４０、５０、６０を屋外において、多数組み合わせた第１０実施例を図１６により説明する。吊下げ式吊掛具４０、５０、６０の何れかを広い野外空間Ｓに多数等しい高さと等間隔になるように高い立木Ｔ０から吊り下げた吊り紐Ｍ又は支持棒Ｔで四隅に吊設し、各吊下げ式中継吊掛具の間にカーテンＫや遮蔽シートＫ１を掛け渡して屋外との間に隔壁Ｋ０を形成し内部空間Ｓ０を作り出したものである。また、架設された吊下げ式吊掛具４０、５０、６０の何れかにＬＥＤ照明器具Ｌを取付ければ夜間照明にもなる。更に、内部空間Ｓ０内に携帯トイレ７０や更衣室８０を設置させられる。この第１０実施例によれば、屋外活動するキャンプ用テントや緊急避難用テントや各種イベント用テントとして多彩な使用ができる。
【産業上の利用可能性】
【００４９】  本考案は、その対象物を主に、物干し竿１１，１２の吊掛具の実施例で説明したものであるが、物干し竿の他に、ハンガーや観葉植物の鉢吊り具や花束のホルダーとして、更に隔壁用シート・カーテンを吊り下げるつり具とても多彩に使用する実施例で説明したが、更に、屋内や野外での多彩な使用・適用が可能である。
【符号の説明】
【００５０】１                          壁面
２                          半円筒板
２Ａ，２Ｂ                  取付座
２Ｅ                        Ｕ字溝
２Ｈ                        上縁
３                          ガイド溝
４Ａ，４Ｂ，４Ｃ            掛止溝
５                          掛棒
５Ａ                        基部
６                          掛止棒
７                          フック
１０、２０Ａ、２０Ｂ、３０  壁面取付け吊掛具
１１，１２                  物干し竿
２１                        吊下げ紐
２２                        下端フック
２３                        掛輪
２４                        天板
２５                        枠体
２５Ａ                      底面
２６，２７，２８，２９      保持筒
４０                        吊下げ式吊掛具
４１                        吊下げ紐
４２                        下端フック
４３                        掛輪
５４                        天板
５５                        枠体
５５Ａ                      上面
５５Ｂ                      凸辺
５６，５７，５８，５９      受座
７０                        携帯トイレ
８０                        更衣室
（イ），（ロ），（ハ）      三方向位置
Ａ”，Ｂ”                  取付片
ＢＳ                        ビス
Ｂ                          締め付けバンド
Ｃ                          結束バンド
Ｋ                          カーテン
Ｋ１                        遮蔽シート
Ｋ０                        隔壁
０                          放射方向
Ｓ                          室内空間
Ｓ０                        内部空間
Ｌ                          ＬＥＤ照明器具
Ｍ                          紐
Ｔ                          支持棒
Ｔ０                        立木
【図１】
0003188698.tif 000005
【図２】
0003188698.tif 000006
【図３】
0003188698.tif 000007
【図４】
0003188698.tif 000008
【図５】
0003188698.tif 000009
【図６】
0003188698.tif 000010
【図７】
0003188698.tif 000011
【図８】
0003188698.tif 000012
【図９】
0003188698.tif 000013
【図１０】
0003188698.tif 000014
【図１１】
0003188698.tif 000015
【図１２】
0003188698.tif 000016
【図１３】
0003188698.tif 000017
【図１４】
0003188698.tif 000018
【図１５】
0003188698.tif 000019
【図１６】
0003188698.tif 000020
【手続補正書】
【提出日】平成25年11月5日(2013.11.5)
【手続補正１】
【補正対象書類名】実用新案登録請求の範囲
【補正対象項目名】全文
【補正方法】変更
【補正の内容】
【実用新案登録請求の範囲】
【請求項１】
吊下げ紐の下端フックに吊り掛ける掛輪を天板中心位置に備えた枠体と、上記枠体の底面に取付けられ各外面となる放射方向に向けて開口する複数個の保持筒と、を具備したことを特徴とする吊下げ式吊掛具。
【請求項２】
吊下げ紐の下端フックに吊り掛ける掛輪を天板中心位置に備えた枠体と、上記枠体の外周に設けた凸辺と、上記凸辺の高さに等しく枠体の中心側に設けたＶ字状の受座と、上記凸辺と上記受座との間で掛け渡した物干し竿等の端部を固定する締め付けバンドと、を枠体に具備したことを特徴とする吊下げ式吊掛具。
【請求項３】
上記締め付けバンドは、半円状の帯体であることを特徴とする請求項２記載の吊下げ式吊掛具。
【請求項４】
上記締め付けバンドは、樹脂製の結束バンドであることを特徴とする請求項２記載の吊下げ式吊掛具。
【請求項５】
請求項１〜４のいずれか一項に記載の吊下げ式吊掛具において、吊下げ式吊掛具を広い室内空間又は野外空間に多数の等しい高さと等間隔になるように吊り紐又は支持棒で吊設し、各吊下げ式吊掛具の間でカーテンや遮蔽シートにより隔壁を形成させたことを特徴とする吊下げ式吊掛具。
【手続補正３】
【補正対象書類名】明細書
【補正対象項目名】０００１
【補正方法】変更
【補正の内容】
【０００１】  本考案は、各種被吊物となる例えば物干し竿の端部やハンガーやカーテン、遮蔽シート等を簡便に引っ掛けて保持する吊掛具に関し、特に室内において壁面や天井に吊り下げ配置して対を成す複数の吊掛具により複数本の物干し竿を放射状に支持させたり、屋外での使用も可能とした多機能・多用途に変更可能とした吊下げ式吊掛具とその組み合わせに係るものである。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】上記目的を達成するべく本考案の請求項１による吊下げ式吊掛具は、吊下げ紐の下端フックに吊り掛ける掛輪を天板中心位置に備えた枠体と、上記枠体の底面に取付けられ各外面となる放射方向に向けて開口する複数個の保持筒と、を具備したことを特徴とする。
【手続補正９】
【補正対象書類名】明細書
【補正対象項目名】００１７
【補正方法】変更
【補正の内容】
【００１７】  本考案の請求項２による吊下げ式吊掛具は、吊下げ紐の下端フックに吊り掛ける掛輪を天板中心位置に備えた枠体と、上記枠体の外周に設けた凸辺と、上記凸辺の高さに等しく枠体の中心側に設けたＶ字状の受座と、上記凸辺と上記受座との間で掛け渡した物干し竿等の端部を固定する締め付けバンドと、を枠体に具備したことを特徴とする
【手続補正１０】
【補正対象書類名】明細書
【補正対象項目名】００１８
【補正方法】変更
【補正の内容】
【００１８】  本考案の請求項３による吊下げ式吊掛具は、請求項２記載の吊下げ式吊掛具において、上記締め付けバンドは、半円状の帯体であることを特徴とする。
【手続補正１１】
【補正対象書類名】明細書
【補正対象項目名】００１９
【補正方法】変更
【補正の内容】
【００１９】  本考案の請求項４による吊下げ式吊掛具は、請求項２記載の吊下げ式吊掛具において、  上記締め付けバンドは、樹脂製の結束バンドであることを特徴とする。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】  本考案の請求項５による吊下げ式吊掛具は、請求項１〜４のいずれか一項に記載の吊下げ式吊掛具において、吊下げ式吊掛具を広い室内空間又は野外空間に多数の等しい高さと等間隔になるように吊り紐又は支持棒で吊設し、各吊下げ式吊掛具の間でカーテンや遮蔽シートにより隔壁を形成させたことを特徴とする。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００４０
【補正方法】変更
【補正の内容】
【００４０】  また、図１２に示す第６の実施形態とした吊り下げ式吊掛具５０は、吊下げ紐４１の下端フック４２に吊り掛ける掛輪４３を持つ吊下げ紐（吊下げ棒）４１を天板５４の中心位置に備えた枠体５５と、上記枠体の上面５５Ａに取付けられ上記枠体の外周に設けた凸辺５５Ｂの高さに等しく各外面となる放射方向０に向けて枠体の中心側に設けた複数個のＶ字状の受座５６，５７，５８，５９と、凸辺５５Ｂと受座との間に薄板を加工した半円状の締め付けバンドＢを設けた吊下げ式の中継吊掛具である。
【手続補正１９】
【補正対象書類名】明細書
【補正対象項目名】００５０
【補正方法】変更
【補正の内容】
【００５０】１１，１２                  物干し竿
４６，４７，４８，４９      保持筒
４０，５０，６０            吊下げ式吊掛具
４１                        吊下げ紐（吊下げ棒）
４２                        下端フック
４３                        掛輪
４４，５４                  天板
４５                        枠体
４５Ａ                      底面
５５ 枠体
５５Ａ 上面
５５Ｂ                      凸辺
５６，５７，５８，５９      受座
７０                        携帯トイレ
８０                        更衣室
Ａ”，Ｂ”                  取付片
Ｂ                          締め付けバンド
Ｃ                          結束バンド
Ｋ                          カーテン
Ｋ１                        遮蔽シート
Ｋ０                        隔壁
０                          放射方向
Ｓ                          室内空間
Ｓ０                        内部空間
Ｌ                          ＬＥＤ照明器具
Ｍ                          紐
Ｔ                          支持棒
Ｔ０                        立木
【手続補正２０】
【補正対象書類名】図面
【補正対象項目名】図１２
【補正方法】変更
【補正の内容】
【図１２】
0003188698.tif 000021